(57)【要約】【課題】バーナの保炎性能を高める。【解決手段】燃料ガス及び一次空気の混合気体を導入する混合管４０と前記混合管４０に接続された中空状のリングバーナ５０とを備えたガスコンロ用バーナ３０であって、前記リングバーナ５０の外周部に対し、炎口７７を開口してなる斜面部７３、７５を高さ方向に複数段形成すると共に、前記各段の斜面部７３、７５の上部側に前記炎口７７に形成された火炎に接触する保炎壁７２〜７４をそれぞれ設けた。このようにしておけば、バーナの保炎性能を高めることができ、弱火から強火まで広い範囲で火力の調整が可能となる。【選択図】図６
2011220653.tif 000002
【特許請求の範囲】
【請求項１】
燃料ガス及び一次空気の混合気体を導入する混合管と、
前記混合管に接続された中空状のリングバーナと、を備えたガスコンロ用バーナであって、
前記リングバーナの外周部に対し、炎口を開口してなる斜面部を高さ方向に複数段形成すると共に、
前記各段の斜面部の上部側に、前記炎口に形成された火炎に接触する保炎壁を、それぞれ設けたことを特徴とするガスコンロ用バーナ。
【請求項２】
前記各段の保炎壁と前記各段の斜面部は、隣接段も含めて全体が階段状に連続して形成されていることを特徴とする請求項１に記載のガスコンロ用バーナ。
【請求項３】
前記各段の炎口は周方向の同じ位置に形成されていることを特徴とする請求項２に記載のガスコンロ用バーナ。
【請求項４】
前記リングバーナの外周部に対して前記斜面部を上下２段に形成すると共に、
下段の斜面部上に形成した炎口の孔径を、上段側の斜面部上に形成した炎口の孔径より小さくしたことを特徴とする請求項１ないし請求項３のいずれか一項に記載のガスコンロ用バーナ。
【請求項５】
前記リングバーナの天井壁に、吹きこぼれが各段の炎口に垂れることを防止する傘部を設けたことを特徴とする請求項１ないし請求項４のいずれか一項に記載のガスコンロ用バーナ。
【請求項６】
請求項１ないし請求項５のいずれか一項に記載されたガスコンロ用バーナを備えたことを特徴とするガスコンロ。
【発明の詳細な説明】
【技術分野】
【０００１】
本発明は、ガスコンロ用バーナ、及びガスコンロに関する。
【背景技術】
【０００２】
バーナ燃焼においての最適燃焼は一次空気の流入、混合管部分でのガスと空気の混合、そしてバーナの炎口形状で決まる。一般に、サイズの割合的に発熱量が大きなバーナでは、火力を大きくするために大きな炎口が必要がある。しかし、単に、炎口を大きくしてしまうと、火力を絞って弱火にした場合に、炎が炎口からバーナの中に入りこむ逆火現象が現れ、正常に燃焼が出来なくなる。この種の問題を解決するには、例えば、下記特許文献１に開示があるように、炎口のサイズを大きくする代わりに炎口を多段（上下２段）にして、炎口数を増やしてやればよい。
【先行技術文献】
【特許文献】
【０００３】
【特許文献１】特許第２９６１６８３号公報
【発明の概要】
【発明が解決しようとする課題】
【０００４】
ところで、炎口のサイズが小さいと、火力を強くしたときに、炎口のガス圧は必然的に高くなるので、炎口から火炎が離れ易くなる。そのため、バーナを弱火から強火まで広範囲で使用するには、保炎対策を行う必要があった。
本発明は上記のような事情に基づいて完成されたものであって、バーナの保炎性能を高めることを目的とする。
【課題を解決するための手段】
【０００５】
本発明は、燃料ガス及び一次空気の混合気体を導入する混合管と、前記混合管に接続された中空状のリングバーナと、を備えたガスコンロ用バーナであって、前記リングバーナの外周部に対し、炎口を開口してなる斜面部を高さ方向に複数段形成すると共に、前記各段の斜面部の上部側に、前記炎口に形成された火炎に接触する保炎壁を、それぞれ設けたところに特徴を有する。このようにしておけば、バーナの保炎性能が高まる。
【０００６】
この発明の実施態様として次の構成にすることが好ましい。
・前記各段の保炎壁と各段の斜面部は、隣接段も含めて全体が階段状に連続して形成されている。このようにすれば、各段の火口を高さ方向において接近配置でき、各段の火炎が重なり易くなる。
・前記各段の炎口を周方向の同じ位置に形成する。このようにすれば、各段の火炎が重なるので保炎効果が一層高まる。
【０００７】
・前記リングバーナの外周部に対して前記斜面部を上下２段に形成すると共に、下段の斜面部上に形成した炎口の孔径を、上段側の斜面部上に形成した炎口の孔径より小さくする。このようにすれば、上段側の火炎に比べて下段の火炎は小さくなる。下段側の火炎は、上段側の火炎のうち一部にのみ重なり、それ以外の場所には重ならない。以上のことから、上段側の火炎に対して、燃焼に必要な二次空気を十分供給することが可能となる。
【０００８】
・リングバーナの天井壁に対して、吹きこぼれが各段の炎口に垂れることを防止する傘部を設ける。このようにすれば、炎口のつまりを防止できる。
【発明の効果】
【０００９】
本発明によれば、バーナの保炎性能を高めることが可能となった。従って、バーナを弱火から強火まで広い範囲で安定的に使用することが可能となった。
【図面の簡単な説明】
【００１０】
【図１】本発明の一実施形態に適用したガスコンロの内部構造を示す図
【図２】メインバーナの斜視図
【図３】メインバーナの平面図
【図４】メインバーナの側面図
【図５】メインバーナの構造図（断面図）
【図６】図５中のＡ部を拡大した図
【図７】リングバーナの燃焼状態を示す図
【図８】リングバーナの燃焼状態を示す図
【図９】火炎がリングバーナの斜面部から離れる様子を示す図
【図１０】変形例を示す図
【図１１】変形例を示す図
【発明を実施するための形態】
【００１１】
＜一実施形態＞
本発明の一実施形態を図１ないし図９によって説明する。
１．構造説明
ガスコンロ１０は、メインバーナ（本発明の「ガスコンロ用バーナ」に相当する）３０と、コック１００と、パイロットバーナ１５０と、これらを内部に収容するコンロ本体２０とを主体に構成されている。
【００１２】
コンロ本体２０は例えばステンレス製であって、図１に示すように概ね箱型をしている。コンロ本体２０は、中央に収容部２１を凹設させており、そこに、メインバーナ３０（具体的には、リングバーナ５０）を収めている。また、収容部２１の端部には、段差状の支持部２３が形成してあり、そこに調理器具（例えば、鍋）を下支えする五徳２５が載置されている。
【００１３】
メインバーナ３０は鉄鋳物であり、図２に示すように混合管４０と中空状のリングバーナ５０とを備えている。混合管４０は、燃料ガス及び一次空気の混合気体をリングバーナ５０に対して導入するものである。この混合管４０は、リングバーナ５０が接続される基端側からコック１００が装着される先端側に向けて先細りする形状となっている。
【００１４】
リングバーナ５０は全体として円環状をしており、内部は中空のガス通路Ｐとなっている。本リングバーナ５０は、上下に２分割されている。以下、リングバーナ５０のうち、分割された下側の部材をバーナ下部６１と呼び、分割された上側の部材をバーナ上部７１と呼ぶ。
【００１５】
バーナ下部６１は、バーナ上部７１に比べて一回り大きな形状となっている。そして、バーナ下部６１には、上記した混合管４０が中継部（混合管４５の一部）４５を介して結合されており、混合管４０、ガス通路Ｐを通ってリングバーナ５０内に混合気体が取り込まれる構成となっている。
【００１６】
次に、バーナ上部７１であって、その外周部には、同径、同一形状の斜面部７３、７５が上下２段に渡って形成されている。斜面部７３、７５は、下側に向うに連れて径（半径）が広がる傾斜面（ラッパ状の傾斜面）であり、バーナ上部７１の全周に渡って形成されている。
【００１７】
そして、各斜面部７３、７５上には炎口７７がそれぞれ形成されている。炎口７７は、図６に示すように、斜面部７３、７５に対して概ね直交しつつ斜め下向きに延びており、リングバーナ５０の内部に形成されたガス通路Ｐに連通している。上記した炎口７７は、斜面部７３、７５の全周に渡って、ほぼ等間隔で形成されている。
【００１８】
また、各段の斜面部７３、７５にはそれぞれ保炎壁７２、７４が形成されている。保炎壁７２、７４は各段の斜面部７３、７５に対しその上部側にぞれぞれ設けられている。保炎壁７２、７４は斜面部７３、７５に対して概ね直交（炎口７７の軸線Ｌに対して平行）しており、斜面部７３、７５の上側を概ね囲む構成となっている。そして、各炎口７７から保炎壁７２、７４までの距離は、図６に示すように短距離に設定されている。
【００１９】
以上のことから、燃焼時には、図７にて示すように、火炎根元の上側が保炎壁７２、７４にそれぞれ接触する状態となる。バーナの保炎性能（バーナに対する火炎Ｕの離れ難さ）は、火炎Ｕの接触面積に比例するから、上記のように保炎壁７２、７４を設けておくことで、バーナの保炎性能を高めることが可能となる。また、保炎壁７２、７４は保炎と共に、火炎が外へ広がるのを防止するように作用する。そのため、鍋への加熱を効率よく行うことが可能となる。尚、保炎性能が低いと、図９にて示すように、火力を強くしたときに、火炎Ｕ（上段側の火炎Ｕ１と下段側の火炎Ｕ２の総称）がバーナの炎口７７から離れてしまい、その炎は消えてしまう。
【００２０】
また、図６に示すように、各段の保炎壁７２、７４と各段の斜面部７３、７５は、隣接段も含めて全体が階段状に連続して形成されている。このような構成とすることで、上段側の炎口７７と下側の炎口７７を高さ方向において接近配置することが可能となる。しかも、このものは、上段側の各炎口７７と下側の各炎口７７を、周方向の同じ位置に形成してある（図７、図８参照）。以上のことから、燃焼時において、上段側の火炎Ｕ１に下段側の火炎Ｕ２が重なって接触する。このように火炎同士を接触させるようにしておけば、各段の火炎Ｕ１、Ｕ２を独立させた場合に比して、火炎Ｕの接触面積が広くなるから、保炎性能を高めることが可能となる。
【００２１】
尚、下段側の炎口７７の孔径ｄ２は、上段側の炎口７７の孔径ｄ１に対してやや小径にすることが好ましい（図７、図８参照）。このようにすることで、不完全燃焼が起き難い構造となる。というのも、図７にて示すように、下段側の火炎Ｕ２は、周囲から二次空気を取り込むことが可能であり、燃焼に必要な空気が不足することはそれほどない。
【００２２】
これに対して、上段側の火炎Ｕ１は、外側に下段側の火炎Ｕ２が重なっているので、二次空気が不足気味になる。しかし、この実施形態では、下段側の炎口７７の孔径ｄ２を上段の炎口７７の孔径ｄ１に比べて小径にしてある。
【００２３】
このようにすることで、下段側の火炎Ｕ２は上段側の火炎Ｕ１より小サイズになる。そのため、下段側の火炎Ｕ２は、上段側の火炎Ｕ１のうち下部中央にのみ重なり、図８に示すように、それ以外の場所（例えば、両サイドａ）には重ならない。以上のことから、上段側の火炎Ｕ１に対して、燃焼に必要な二次空気を十分供給することが可能となり、不完全燃焼を起こさない構造となった。
【００２４】
また、図６に示すように、バーナ上部７１の内周側には、外周側と同様に、炎口８７を形成した斜面部８３、８５が上下２段に渡って形成してある。そして、各段の斜面部８３、８５には外周側と同様に、保炎壁８２、８４が形成してあり、各段の炎口８７に形成された火炎Ｕ１、Ｕ２を保炎する構成となっている。尚、外周側と内周側とを比べると、内周側は斜面部８３、８５の形成位置が外周側に比べていくらか低くなっている。
【００２５】
次に、バーナ上部７１の天井壁９１について説明する。天井壁９１は無孔状（別の言い方をすれば、炎口７７が全く形成されていない）の壁となっている。係る天井壁９１は鉢型をしており、中央側が低くなっている。また、天井壁９１の外周縁には、傘部９５が形成されている。傘部９５は各段の斜面部７３、７５よりも大径となっており（外方に飛び出ている）、吹きこぼれが各段の斜面部７３、７５に垂れて炎口７７を詰まらすことを防止する機能を果たしている。尚、この傘部９５の上面は平な平面となっている。
【００２６】
図１に戻って説明を続けると、コック１００は、燃料ガスを取り込む取り込み口１１５を有する器具栓１１０と、混合管４０に取り込まれる一次空気の空気量を調整するための空気調整器１２０と、器具栓１１０を開閉操作するための操作部（以下、ツマミ）１３０と、から構成されている。係るコック１００は、混合管４０の先端に対して空気調整器１２０を嵌め合わせるようにして取り付けられる。
【００２７】
そして、ツマミ１３０を開操作すると器具栓１１０の弁が開いて、燃料ガスが混合管４０に取り込まれる。これにより、混合管４０及びガス通路Ｐを通ってリングバーナ５０内に混合気体（燃焼ガスと一次空気を混合させたもの）が取り込まれ、リングバーナ５０に形成された各炎口７７、８７から混合気体が噴出される。以上のことから、パイロットバーナ１５０にて点火してやれば、リングバーナ５０を点火できる。
【００２８】
２．効果説明
本ガスコンロ１０では、リングバーナ５０の外周側、内周側の双方に、炎口７７、８７を上下２段に渡って形成した。そのため各炎口７７、８７の大きさそれ自体は従来と同程度の大きさに保ったまま、炎口７７、８７の総開口面積を増やすことができた。そのため、弱火から強火まで広い範囲で火力の調整が可能となった。
【００２９】
しかも、本ガスコンロ１０は、各斜面部７３〜８５に対しそれぞれ保炎壁７２〜８４を形成すると共に、燃焼時において、上段側の火炎Ｕの外側に下段側の火炎Ｕを重ねる設定とした。以上のことから、保炎性能を高めること出来た。そのため、火力を強くしたときにも、リングバーナ５０から火炎Ｕが離れてしまうことがなく、バーナを弱火から強火まで広範囲で安定的に使用することが可能となった。
【００３０】
＜他の実施形態＞
本発明は上記記述及び図面によって説明した実施形態に限定されるものではなく、例えば次のような実施形態も本発明の技術的範囲に含まれる。
【００３１】
（１）上記実施形態では、リングバーナ５０に対して斜面部を上下２段に渡って形成したものを例示したが、斜面部及び炎口の形成段数は２段に限定されるものではなく、２段以上、例えば、３段にすることも可能である。
【００３２】
（２）上記実施形態では、リングバーナ５０を上下に分割したものを例示したが、リングバーナ５０は必ずしも分割する必要はなく、これを一体的に形成することが可能である。
【００３３】
（３）リングバーナ５０の外形形状は、実施形態で例示した形状に限定されるものではなく、例えば、斜面部７５の下側については、実施形態にて示したような段差形状の他にも、図１０にて示すようなフラット形状にしてもよい。また、リングバーナ５０は、本実施形態にて示した一重形状の他にも二重形状（大小のリングバーナを内外二重に設ける構成）にすることが可能である。
【００３４】
（４）上記実施形態では、傘部９５として、傘の外径を各段の斜面部７３、７５よりも大径とした例を示したが、傘部９５は、吹きこぼれが各段の炎口に垂れることを防止することが出来ればよく、図１１に示すように、傘の外径を斜面部７３、７５と同径にすることも可能である。要は、傘部９５の外径は、斜面部７３、７５と同径かそれ以上の径であればよい。
【符号の説明】
【００３５】
１０…ガスコンロ
２０…コンロ本体
３０…メインバーナ（本発明の「ガスコンロ用バーナ」に相当）
４０…混合管
５０…リングバーナ
６１…バーナ下部
７１…バーナ上部
７２…保炎壁（外周側下段）
７３…斜面部（外周側下段）
７４…保炎壁（外周側上段）
７５…斜面部（外周側上段）
７７…炎口
８２…保炎壁（内周側下段）
８３…斜面部（内周側下段）
８４…保炎壁（内周側上段）
８５…斜面部（内周側上段）
８７…炎口
９５…傘部
１００…コック
１１０…器具栓
１２０…空気調整器
１３０…ツマミ
１５０…パイロットバーナ
Ｕ…火炎（上段の火炎Ｕ１と下段の火炎Ｕ２の総称）
Ｕ１…上段側の火炎
Ｕ２…下段側の火炎
【図１】
2011220653.tif 000003
【図２】
2011220653.tif 000004
【図３】
2011220653.tif 000005
【図４】
2011220653.tif 000006
【図５】
2011220653.tif 000007
【図６】
2011220653.tif 000008
【図７】
2011220653.tif 000009
【図８】
2011220653.tif 000010
【図９】
2011220653.tif 000011
【図１０】
2011220653.tif 000012
【図１１】
2011220653.tif 000013